(57)【要約】  直流電圧を三相交流電圧に変換して、電力系統に出力する電力変換装置（１）において、マイコン（１１）は、ハイサイドスイッチング素子（Ｑ１１，Ｑ２１，Ｑ３１）とローサイドスイッチング素子（Ｑ１２，Ｑ２２，Ｑ３２）とを、同時にオンとならないデッドタイムを設け、スイッチングする。このとき、マイコン（１１）は、相電流（Ｉｕ，Ｉｖ，Ｉｗ）の複素数を用いてｄｑ変換し、ｄ軸電流又はｑ軸電流の振幅値を検出する。ｄ軸電流又はｑ軸電流の振幅値が減少するよう、位相差Δθを変更する。変更後の位相差Δθに基づいてデッドタイム補償する。
2017119214.tif 000002
【特許請求の範囲】
【請求項１】
直流電圧を三相交流電圧に変換して、電力系統に出力する電力変換装置において、
ハイサイドスイッチング素子及びローサイドスイッチング素子が直列接続された３つの直列回路を含むインバータ回路と、
前記直列回路のハイサイドスイッチング素子とローサイドスイッチング素子とが同時にオンとならないデッドタイムを設け、前記ハイサイドスイッチング素子と前記ローサイドスイッチング素子とをＰＷＭ電圧指令値に基づいてスイッチングさせるＰＷＭ制御部と、
前記デッドタイムを設けることにより発生する歪みを抑制するためのデッドタイム補償量を算出する算出部と、
前記デッドタイム補償量を、前記三相交流電圧の位相からみなし位相差分ずらして、前記ＰＷＭ電圧指令値に加算するデッドタイム補償部と、
前記３つの直列回路それぞれからの出力電流をｄｑ変換して得られる回転座標系のｄ軸電流又はｑ軸電流の振幅値を検出する電流振幅値検出部と、
前記電流振幅値検出部が検出する振幅値が減少するよう、前記みなし位相差を変更する変更部と、
を備える電力変換装置。
【請求項２】
前記電力系統の系統電圧が閾値を超えた場合に、前記電力系統に無効電力を出力する無効電力出力制御部と、
前記無効電力出力制御部が無効電力を出力する場合に、前記変更部によるみなし位相差の変更を停止する、
請求項１に記載の電力変換装置。
【発明の詳細な説明】
【技術分野】
【０００１】
本発明は、直流電圧から変換した交流電圧を電力系統へ出力する電力変換装置に関する。
【背景技術】
【０００２】
ハイサイドスイッチング素子とローサイドスイッチング素子とが直列に接続されたインバータ回路等においては、２つのスイッチング素子が同時にオンされる状態（短絡）を防止するために、両スイッチング素子が共にオフとなる時間（デッドタイム）が設けられている。このデッドタイムにより、インバータ回路の出力電流に歪みが発生するという問題がある。【０００３】
この出力電圧の歪みを抑える方法として、特許文献１には、電圧指令値に補償信号を足し合わせることで、デッドタイムによる誤差電圧を補うＰＷＭコンバータが記載されている。特許文献１では、電源電圧位相検出値から電流位相を求め、その電流位相に応じてデッドタイム補償を行っている。
【先行技術文献】
【特許文献】
【０００４】
【特許文献１】特開平９−１５４２８０号公報
【発明の概要】
【発明が解決しようとする課題】
【０００５】
しかしながら、電圧と電流とには常に変動する位相差があり、電流位相を常時的確に検出することは困難である。そのため、特許文献１では、リアルタイムに発生する電流の歪みに応じて、適切にデッドタイム補償を行うことは難しい。また、交流電流を直接検出し、高速フーリエ変換（ＦＦＴ）を行いながら電流位相を調節する方法も考えられるが、演算処理が膨大であり、プロセッサにかかる負担も大きいため、現実性が低い。【０００６】
そこで、本発明の目的は、精度よくデッドタイム補償を行える電力変換装置を提供することにある。
【課題を解決するための手段】
【０００７】
本発明は、直流電圧を三相交流電圧に変換して、電力系統に出力する電力変換装置において、ハイサイドスイッチング素子及びローサイドスイッチング素子が直列接続された３つの直列回路を含むインバータ回路と、前記直列回路のハイサイドスイッチング素子とローサイドスイッチング素子とが同時にオンとならないデッドタイムを設け、前記ハイサイドスイッチング素子と前記ローサイドスイッチング素子とをＰＷＭ電圧指令値に基づいてスイッチングさせるＰＷＭ制御部と、前記デッドタイムを設けることにより発生する歪みを抑制するためのデッドタイム補償量を算出する算出部と、前記デッドタイム補償量を、前記三相交流電圧の位相からみなし位相差分ずらして、前記ＰＷＭ電圧指令値に加算するデッドタイム補償部と、前記３つの直列回路それぞれからの出力電流をｄｑ変換して得られる回転座標系のｄ軸電流又はｑ軸電流の振幅値を検出する電流振幅値検出部と、前記電流振幅値検出部が検出する振幅値が減少するよう、前記みなし位相差を変更する変更部とを備えることを特徴とする。【０００８】
この構成では、三軸座標系をｄｑ変換した回転座標系のｄ軸電流又はｑ軸電流の振幅値を見てデッドタイム補償を行うため、演算処理が膨大となることなく、リアルタイムで精度よくデッドタイム補償を行える。【０００９】
前記電力変換装置は、前記電力系統の系統電圧が閾値を超えた場合に、前記電力系統に無効電力を出力する無効電力出力制御部と、前記無効電力出力制御部が無効電力を出力する場合に、前記変更部によるみなし位相差の変更を停止する構成でもよい。【００１０】
無効電力を電力系統へ出力することでｄ軸電流（又はｑ軸電流）は変動する。この変動するｄ軸電流（又はｑ軸電流）の振幅値に基づいて、デッドタイム補償を行うと、電力変換装置の出力が安定化しない。このため、電力系統に無効電力を出力する場合、みなし位相差の変更を停止することで、電力変換装置の出力を安定化できる。
【発明の効果】
【００１１】
本発明によれば、演算処理が膨大となることなく、リアルタイムで精度よくデッドタイム補償を行える。
【図面の簡単な説明】
【００１２】
【図１】実施形態に係る電力変換装置の回路図
【図２】ハイサイドスイッチング素子とローサイドスイッチング素子とに印加するＰＷＭ信号の波形を示す図
【図３】相電流とｄ軸電流との波形を示す図
【図４】位相差の調整時に、同方向に位相差をずらす場合を説明するための図
【図５】位相差の調整時に、反対方向に位相差をずらす場合を説明するための図
【図６】デッドタイム補償時の位相差の調整処理を示すフローチャート
【発明を実施するための形態】
【００１３】
図１は、本実施形態に係る電力変換装置１の回路図である。電力変換装置１は、例えばＨＥＭＳ（Home Energy Management System）に用いられる。電力変換装置１は、太陽光発電装置、ガス発電装置、又は風力発電装置等から出力される直流電圧を、入力部ＩＮ１，ＩＮ２から入力して三相交流電圧に変換し、出力部ＯＵＴ１，ＯＵＴ２，ＯＵＴ３から電力系統へ出力するＰＷＭインバータである。ここで、電力系統は電力会社の配電変電所から電力を伝送する配電系統である。
【００１４】
入力部ＩＮ１，ＩＮ２にはキャパシタＣ１，Ｃ２の直列回路が接続されている。また、入力部ＩＮ１，ＩＮ２にはスイッチング回路が接続されている。スイッチング回路（インバータ回路）は、三相交流のうちＵ相、Ｖ相、Ｗ相それぞれの交流電圧を出力する直列回路２ｕ，２ｖ，２ｗが並列接続されて構成されている。直列回路２ｕ，２ｖ，２ｗは、ハイサイドスイッチング素子Ｑ１１，Ｑ２１，Ｑ３１とローサイドスイッチング素子Ｑ１２，Ｑ２２，Ｑ３２とが直列接続されて構成されている。各スイッチング素子は、ドライバ回路１０で生成されたＰＷＭ信号がゲートに入力され、オンオフする。これら各スイッチング素子は、ＭＯＳＦＥＴ、ＩＧＢＴ等である。なお、ＩＧＢＴとする場合、各スイッチング素子に還流ダイオードが必要である。
【００１５】
ハイサイドスイッチング素子Ｑ１１，Ｑ２１，Ｑ３１とローサイドスイッチング素子Ｑ１２，Ｑ２２，Ｑ３２との接続点は、インダクタＬｕ，Ｌｖ，Ｌｗを介して、出力部ＯＵＴ１，ＯＵＴ２，ＯＵＴ３へ接続されている。インダクタＬｕ，Ｌｖ，Ｌｗは、スイッチング回路から出力される交流電流に重畳される高調波成分を除去する。
【００１６】
Ｕ相、Ｖ相、Ｗ相それぞれのラインには、直列回路２ｕ，２ｖ，２ｗそれぞれの相電流Ｉｕ，Ｉｖ，Ｉｗ及び相電圧Ｖｕ，Ｖｖ，Ｖｗを検出する電流検出回路１２Ｕ，１２Ｖ，１２Ｗ、及び電圧検出回路１３Ｕ，１３Ｖ，１３Ｗが設けられている。電流検出回路１２Ｕ，１２Ｖ，１２Ｗの検出信号、及び、電圧検出回路１３Ｕ，１３Ｖ，１３Ｗの検出信号はマイコン１１に入力される。
【００１７】
マイコン１１は、本発明に係る「ＰＷＭ制御部」、「算出部」、「デッドタイム補償部」、「電流振幅値検出部」及び「変更部」に相当する。
【００１８】
マイコン１１は、検出された相電圧Ｖｕ，Ｖｖ，Ｖｗが、電圧指令値（ＰＷＭ電圧指令値）Ｖｕ*，Ｖｖ*，Ｖｗ*と一致するよう、ドライバ回路１０へ指令信号Ｐｕ，Ｐｖ，Ｐｗを出力し、ドライバ回路１０を通じてスイッチング回路をスイッチング制御する。このとき、マイコン１１は、直列回路２ｕ，２ｖ，２ｗそれぞれの相電圧の位相が１２０°ずつずれるように、直列回路２ｕ，２ｖ，２ｗをスイッチング制御する。
【００１９】
また、マイコン１１は、ハイサイドスイッチング素子Ｑ１１，Ｑ２１，Ｑ３１とローサイドスイッチング素子Ｑ１２，Ｑ２２，Ｑ３２とが同時にオンとならないデッドタイムを設けて、交互にオンオフする。
【００２０】
図２は、ハイサイドスイッチング素子（ＨＳ）Ｑ１１，Ｑ２１，Ｑ３１とローサイドスイッチング素子（ＬＳ）Ｑ１２，Ｑ２２，Ｑ３２とに印加するＰＷＭ信号の波形を示す図である。
【００２１】
マイコン１１は、ハイサイドスイッチング素子Ｑ１１，Ｑ２１，Ｑ３１とローサイドスイッチング素子Ｑ１２，Ｑ２２，Ｑ３２とに出力するＰＷＭ信号に、デッドタイムｔｄを設ける。これにより、ハイサイドスイッチング素子Ｑ１１，Ｑ２１，Ｑ３１とローサイドスイッチング素子Ｑ１２，Ｑ２２，Ｑ３２とが共にオフする期間（デッドタイム）が設けられ、瞬間的に同時にオンとならない。
【００２２】
デッドタイムｔｄを設けた場合、相電流Ｉｕ，Ｉｖ，Ｉｗの連続性が失われる為、相電流Ｉｕ，Ｉｖ，Ｉｗには歪みが発生し、相電流Ｉｕ，Ｉｖ，Ｉｗは正弦波状とならない。このデッドタイムが原因の歪みは主に６倍高調波成分として現れる。
【００２３】
そこで、マイコン１１は、デッドタイムによって生じる誤差電圧を補償するデッドタイム補償を実行する。デッドタイム補償を行うことで、ＴＨＤ（Total Harmonic Distortion：全高調波歪）の値は小さくなる。ＴＨＤは、高調波成分全体の基本波成分に対する比（歪率）である。このＴＨＤが小さくなるほど、デッドタイムによる歪みは小さく、より正弦波状に近い相電流Ｉｕ，Ｉｖ，Ｉｗが得られることを意味する。
【００２４】
なお、本実施形態に係る電力変換装置１は、出力部ＯＵＴ１，ＯＵＴ２，ＯＵＴ３が電力系統に接続されている。電力変換装置１から電力系統に電流を出力する場合には、ＴＨＤが約５％以下であることが要求されている。
【００２５】
以下に、マイコン１１が行うデッドタイム補償について説明する。
【００２６】
マイコン１１は、直列回路２ｕ，２ｖ，２ｗのスイッチング周波数ｆｃと、入力部ＩＮ１，ＩＮ２から入力される直流電圧Ｖｄｃと、デッドタイムｔｄとからデッドタイム補償量ΔＶを算出する。デッドタイム補償量ΔＶは以下の式で表せる。
【００２７】
ΔＶ［Ｖ］＝ｔｄ［ｍｓ］×ｆｃ[ｋＨｚ]×Ｖｄｃ[Ｖ]×ｓｉｇｎ（ｉ）
この算出されたデッドタイム補償量ΔＶを、電圧指令値Ｖｕ*，Ｖｖ*，Ｖｗ*に加算することで、デッドタイム補償がなされる。
【００２８】
ここで、ｓｉｇｎ（ｉ）は、インダクタＬｕ，Ｌｖ，Ｌｗの電流の極性を示し、ｉ＞０の場合、ｓｉｇｎ（ｉ）＝１であり、ｉ＜０の場合、ｓｉｇｎ（ｉ）＝−１である。デッドタイム期間中は、電流極性に応じてスイッチング素子のボディーダイオード又は還流ダイオードを通ってインダクタＬｕ，Ｌｖ，Ｌｗの電流が還流する。すなわち、デッドタイム期間中に直列回路２ｕ，２ｖ，２ｗから出力される電圧は電流極性による。したがって、相電圧Ｖｕ，Ｖｖ，Ｖｗが負の場合、正のデッドタイム補償量ΔＶが加算され、相電圧Ｖｕ，Ｖｖ，Ｖｗが正の場合、負のデッドタイム補償量ΔＶが加算される。
【００２９】
また、相電圧Ｖｕ，Ｖｖ，Ｖｗと相電流Ｉｕ，Ｉｖ，Ｉｗとには位相差Δθがある。この位相差Δθは電力系統に接続される負荷によってリアルタイムで変動する。このため、マイコン１１は、三相交流電圧の位相から、リアルタイムで変動する位相差Δθ分だけずらして、デッドタイム補償量ΔＶを電圧指令値Ｖｕ*，Ｖｖ*，Ｖｗ*に加算しないと、より正弦波状に近い相電流Ｉｕ，Ｉｖ，Ｉｗが得られない。位相差Δθは、本発明に係る「みなし位相差」に相当する。
【００３０】
そこで、マイコン１１は、以下に説明する最適な位相差Δθを探索する制御を行う。
【００３１】
マイコン１１は、取得した相電流Ｉｕ，Ｉｖ，Ｉｗの複素数を用いてｄｑ変換を行い、回転座標系のｄ軸電流（又はｑ軸電流）を算出する。マイコン１１は、ｄ軸電流（又はｑ軸電流）の振幅値を検出する。ｄ軸電流及びｑ軸電流は、三相電動機の回転子が受けるトルク成分の直交２成分に相当するものであるので、三相電流が完全な正弦波であればｄ軸電流及びｑ軸電流の変動幅は０である。すなわち、ｄ軸電流及びｑ軸電流は相電流の高調波歪みと強い相関関係がある。したがって、ｄ軸電流（又はｑ軸電流）の振幅値が小さくなるように制御すると、相電流Ｉｕ，Ｉｖ，Ｉｗの歪みは小さくなる。
【００３２】
図３は、相電流とｄ軸電流との波形を示す図である。ｄ軸電流は系統周波数の６倍の周波数で脈動している。図３の上図及び下図を比べると、ｄ軸電流の振幅が小さくなると、相電流の波形は正弦波状に近似することが読み取れる。
【００３３】
マイコン１１は、ｄ軸電流（又はｑ軸電流）の振幅値が小さくなるように、系統電圧の１周期（５０Ｈｚ又は６０Ｈｚ）毎に、位相差Δθを、例えば０．１°単位で遅れ方向又は進み方向にずらして調整する。マイコン１１は、調整後の位相差Δθ分だけずらして、デッドタイム補償量ΔＶを電圧指令値Ｖｕ*，Ｖｖ*，Ｖｗ*に加算する。その結果、ｄ軸電流の振幅値はより小さくなっていく。
【００３４】
図４及び図５は、ｄ軸電流（又はｑ軸電流）の振幅値が小さくなるように、位相差Δθを調整する方法を説明するための図である。
【００３５】
図４に示す例では、期間（Ａ）の開始時に、マイコン１１が位相差Δθの初期値として１５°を設定し、デッドタイム補償を行った結果、ｄ軸電流の振幅値が５Ａとなったものとする。そして、マイコン１１は、期間（Ａ）の終わり（期間（Ｂ）の始め）に、位相差Δθを進み方向に０．１°ずらし、位相差Δθ＝１５．１°とする。
【００３６】
その結果、期間（Ｂ）でのｄ軸電流の振幅値は、期間（Ａ）での振幅値５Ａよりも小さくなっている。マイコン１１は、期間（Ｂ）の終わり（期間（Ｃ）の始め）に、直前の調整時にずらした方向と同方向（進み方向）に位相差Δθをさらに０．１°ずらし、位相差Δθ＝１５．２°とする。その結果、期間（Ｃ）でのｄ軸電流の振幅値は、期間（Ｂ）での振幅値よりもさらに小さくなっている。
【００３７】
マイコン１１は、前記処理を繰り返す。
【００３８】
また、位相差Δθをずらした結果、ｄ軸電流の振幅値が大きくなる場合がある。この場合、直前に位相差Δθをずらした方向と同方向にさらに位相差Δθをずらすと、ｄ軸電流の振幅値はさらに大きくなる可能性が高い。そこで、この場合には、マイコン１１は、直前に位相差Δθをずらした方向と反対方向に位相差Δθをずらす。
【００３９】
図５に示す例では、期間（Ｄ）の開始時に、マイコン１１が位相差Δθの初期値として１５°を設定し、デッドタイム補償を行った結果、ｄ軸電流の振幅値が３Ａとなったものとする。そして、マイコン１１は、期間（Ｄ）の終わり（期間（Ｅ）の始め）において、位相差Δθを進み方向に０．１°ずらし、位相差Δθ＝１５．１°とする。
【００４０】
その結果、期間（Ｅ）でのｄ軸電流の振幅値は、期間（Ｄ）での振幅値３Ａよりも大きくなっている。この場合には、マイコン１１は、直前の調整時でずらした方向と反対方向（遅れ方向）に位相差Δθを０．１°ずらし、位相差Δθ＝１５°とする。その結果、期間（Ｆ）でのｄ軸電流の振幅値は、期間（Ｅ）での振幅値よりも小さくなっている。
【００４１】
このように、位相差Δθをずらした結果、ｄ軸電流の振幅値が大きくなった場合、マイコン１１は、位相差Δθを、直前にずらした方向と反対方向にずらす。これにより、マイコン１１はｄ軸電流の振幅値が小さくなるように調整する。
【００４２】
なお、マイコン１１は、検出するｄ軸電流（又はｑ軸電流）の振幅値が急峻に変化している場合には、その振幅値をノイズとして除去し、再度振幅値を検出するようにしてもよい。
【００４３】
また、図４及び図５では位相差Δθを０．１°単位でずらしているが、ずらす単位はこれに限定されない。位相差Δθのずらす単位を小さくすると制御の分解能が高まるが、位相差Δθのずらす単位を小さくする程、フィードバックゲインが小さくなって、応答性が低下するので、位相差Δθのずらす単位は、分解能と応答性を勘案して定めればよい。
【００４４】
また、位相差Δθに最適な初期値を設定しておいてもよい。例えば、最適な位相差Δθが１０°であって、位相差Δθの初期値を０°としてデッドタイム補償を開始した場合、位相差Δθが最適値となるまでの位相調整を行うため、制御時間が長くなる。そこで、電力系統に応じて、又は電力変換装置１の特性に応じて位相差Δθの初期値を設定すれば、制御時間は短くなる。
【００４５】
図６は、デッドタイム補償時の位相差Δθの調整処理を示すフローチャートである。図６に示す処理はマイコン１１により実行される。なお、図６においては、後述する通り、検出した振幅値が閾値以下であるか否かを判定するフロー（Ｓ４やＳ９）を設けているが、これは本発明における必須構成要素ではない。
【００４６】
マイコン１１は、直列回路２ｕ，２ｖ，２ｗのスイッチング周波数ｆｃと、直流電圧Ｖｄｃと、デッドタイムｔｄとからデッドタイム補償量ΔＶを算出する（Ｓ１）。マイコン１１は、位相差Δθ分だけずらして、算出したデッドタイム補償量ΔＶを電圧指令値Ｖｕ*，Ｖｖ*，Ｖｗ*に加算する（Ｓ２）。このときの位相差Δθは予め設定された初期値である。
【００４７】
マイコン１１は、検出した電流Ｉｕ，Ｉｖ，Ｉｗの複素数を用いてｄｑ変換を行い、回転座標系のｄ軸電流（又はｑ軸電流）を算出し、ｄ軸電流（又はｑ軸電流）の振幅値を検出する（Ｓ３）。マイコン１１は、検出した振幅値が閾値以下であるか否かを判定する（Ｓ４）。図４及び図５の例では、閾値は１Ａである。
【００４８】
ｄ軸電流（又はｑ軸電流）の振幅値が閾値以下である場合（Ｓ４：ＹＥＳ）、マイコン１１は、Ｓ２での位相差Δθを保持する（Ｓ５）。マイコン１１は、Ｓ２の処理に移行する。
【００４９】
ｄ軸電流（又はｑ軸電流）の振幅値が閾値以下でない場合（Ｓ４：ＮＯ）、マイコン１１は、進み方向に位相差Δθを０．１°ずらす（Ｓ６）。このときの方向は遅れ方向であってもよい。
【００５０】
マイコン１１は、調整後の位相差Δθで、Ｓ１で算出したデッドタイム補償量ΔＶを電圧指令値Ｖｕ*，Ｖｖ*，Ｖｗ*に加算する（Ｓ７）。そして、マイコン１１は、Ｓ３と同様に、ｄ軸電流（又はｑ軸電流）の振幅値を検出する（Ｓ８）。マイコン１１は、検出した振幅値が閾値以下であるか否かを判定する（Ｓ９）。
【００５１】
ｄ軸電流（又はｑ軸電流）の振幅値が閾値以下である場合（Ｓ９：ＹＥＳ）、マイコン１１は、Ｓ７で用いた位相差Δθを保持する（Ｓ５）。ｄ軸電流（又はｑ軸電流）の振幅値が閾値以下でない場合（Ｓ９：ＮＯ）、マイコン１１は、ｄ軸電流（又はｑ軸電流）の振幅値が、直前の検出した振幅値よりも小さくなったか否かを判定する（Ｓ１０）。
【００５２】
小さくなった場合（Ｓ１０：ＹＥＳ）、マイコン１１は、Ｓ６と同じ進み方向に位相差Δθを０．１°ずらし（Ｓ１１）、Ｓ７の処理を再実行する。小さくなっていない場合（Ｓ１０：ＮＯ）、すなわち振幅値が大きくなった場合、マイコン１１は、Ｓ６とは反対方向の遅れ方向に位相差Δθを０．１°ずらし（Ｓ１２）、Ｓ７の処理を再実行する。
【００５３】
マイコン１１は以上の処理を実行することで、最適な位相差Δθを検出でき、精度よくデッドタイム補償を行える。このデッドタイム補償を行うマイコン１１は、三軸座標系をｄｑ変換した回転座標系で処理を行うため、演算処理が膨大となることはない。このため、マイコン１１へかかる負担は大きくなく、リアルタイムに変化する位相差Δθに追従して、精度よくデッドタイム補償を行える。
【００５４】
なお、逆潮流により、電力系統の系統電圧が閾値（例えば１０７Ｖ）を超えた場合、電力系統に無効電力を出力する制御を行う場合がある。詳しくは、マイコン１１は、系統周波数を検出し、系統周波数の偏差に基づいて、電力系統へ注入すべき無効電力を算出する。そして、電力変換装置１から出力される電圧が、算出された無効電力に応じたパルス幅となるよう、スイッチング回路をＰＷＭ制御する。
【００５５】
無効電力を出力することで、ｄ軸電流（又はｑ軸電流）は変動する。この変動するｄ軸電流（又はｑ軸電流）の振幅値に基づいて、デッドタイム補償を行うと、電力変換装置１の出力が安定化しない。このため、電力系統に無効電力を出力する場合、マイコン１１は、無効電力を出力する前の位相差Δθを保持し、位相差Δθの調整を停止することが好ましい。これにより、電力変換装置１の出力を安定化できる。この場合、マイコン１１は、本発明に係る「無効電力出力制御部」に相当する。
【符号の説明】
【００５６】
Δθ…位相差
Ｃ１，Ｃ２…キャパシタ
ｆｃ…スイッチング周波数
ＩＮ１，ＩＮ２…入力部
Ｉｕ，Ｉｖ，Ｉｗ…相電流
Ｌｕ，Ｌｖ，Ｌｗ…インダクタ
ＯＵＴ１，ＯＵＴ２，ＯＵＴ３…出力部
Ｐｕ，Ｐｖ，Ｐｗ…指令信号
Ｑ１１，Ｑ２１，Ｑ３１…ハイサイドスイッチング素子
Ｑ１２，Ｑ２２，Ｑ３２…ローサイドスイッチング素子
ｔｄ…デッドタイム
Ｖｄｃ…直流電圧
Ｖｕ*，Ｖｖ*，Ｖｗ*…電圧指令値
Ｖｕ，Ｖｖ，Ｖｗ…相電圧
ＯＵＴ１，ＯＵＴ２，ＯＵＴ３…出力部
１…電力変換装置
２ｕ，２ｖ，２ｗ…直列回路
１０…ドライバ回路
１１…マイコン
１２Ｕ，１２Ｖ，１２Ｗ…電流検出回路
１３Ｕ，１３Ｖ，１３Ｗ…電圧検出回路
【図１】
2017119214.tif 000003
【図２】
2017119214.tif 000004
【図３】
2017119214.tif 000005
【図４】
2017119214.tif 000006
【図５】
2017119214.tif 000007
【図６】
2017119214.tif 000008
【手続補正書】
【提出日】平成30年6月29日(2018.6.29)
【手続補正１】
【補正対象書類名】明細書
【補正対象項目名】００５６
【補正方法】変更
【補正の内容】
【００５６】
Δθ…位相差
Ｃ１，Ｃ２…キャパシタ
ｆｃ…スイッチング周波数
ＩＮ１，ＩＮ２…入力部
Ｉｕ，Ｉｖ，Ｉｗ…相電流
Ｌｕ，Ｌｖ，Ｌｗ…インダクタ
ＯＵＴ１，ＯＵＴ２，ＯＵＴ３…出力部
Ｐｕ，Ｐｖ，Ｐｗ…指令信号
Ｑ１１，Ｑ２１，Ｑ３１…ハイサイドスイッチング素子
Ｑ１２，Ｑ２２，Ｑ３２…ローサイドスイッチング素子
ｔｄ…デッドタイム
Ｖｄｃ…直流電圧
Ｖｕ*，Ｖｖ*，Ｖｗ*…電圧指令値
Ｖｕ，Ｖｖ，Ｖｗ…相電圧
１…電力変換装置
２ｕ，２ｖ，２ｗ…直列回路
１０…ドライバ回路
１１…マイコン
１２Ｕ，１２Ｖ，１２Ｗ…電流検出回路
１３Ｕ，１３Ｖ，１３Ｗ…電圧検出回路
【国際調査報告】
2017119214.tif 000009
2017119214.tif 000010